(57)【要約】【課題】１個の調理器において、焼き物及び汁物等を並行して調理できるように、調理器の調理空間にそれぞれの調理に適した区画域を簡易に構成することができる調理器用オプション部品を提供する。【解決手段】加熱用の調理器１に着脱自在に装着される調理器用オプション部品２であって、調理器１の調理空間を複数の区画域ａ・・・に区画する耐熱性の仕切体３を有し、複数の区画域ａ・・・の少なくとも一区画域には、調理器の内底面１０１ａに接するように配された底面部材４が当該区画域を構成する仕切体３とともに設けられていることを特徴とする。【選択図】図１
0003220129.tif 000002
【実用新案登録請求の範囲】
【請求項１】
加熱用の調理器に着脱自在に装着される調理器用オプション部品であって、
前記調理器の調理空間を複数の区画域に区画する耐熱性の仕切体を有し、
前記複数の区画域の少なくとも一区画域には、前記調理器の内底面に接するように配された底面部材が当該区画域を構成する仕切体とともに設けられていることを特徴とする調理器用オプション部品。
【請求項２】
請求項１に記載の調理器用オプション部品において、
前記底面部材を有する区画域は煮る・揚げる・茹でる等の汁調理用区画域とされ、
前記汁調理用区画域以外の前記区画域は、炒める・焼く等の油調理用区画域とされることを特徴とする調理器用オプション部品。
【請求項３】
請求項１または請求項２に記載の調理器用オプション部品において、
前記仕切体は、複数のパーツからなり、前記パーツは前記区画域の面積及び数が可変可能に設けられていることを特徴とする調理器用オプション部品。
【請求項４】
請求項１〜請求項３のいずれか一項に記載の調理器用オプション部品において、
前記仕切体における上辺部の端部には、前記調理器における周壁部の上縁部に係止される係止部が設けられていることを特徴とする調理器用オプション部品。
【請求項５】
請求項１〜請求項４のいずれか一項に記載の調理器用オプション部品において、
前記調理器はフライパンであることを特徴とする調理器用オプション部品。
【考案の詳細な説明】
【技術分野】
【０００１】
本考案は、１個の調理器（例えば、フライパン）において、汁調理及び油調理等を並行して調理できるように当該調理器の調理空間を複数の区画域に区画するために用いられる調理器用オプション部品に関する。
【背景技術】
【０００２】
従来、調理器の調理空間を複数の区画域に区画するものが知られており、そのような調理器としては、例えば特許文献１〜３に開示されているものが挙げられる。
特許文献１には、天ぷら鍋を深底部、浅底部及び極浅底部に仕切り、天ぷらの調理過程で、この各仕切り部を適宜使用することによって、美味しく見栄えのよい花揚げ天ぷらを作ることができる天ぷら鍋及びその構成部材が記載されている。また、特許文献２には、１個の鍋で、しゃぶしゃぶ料理、ちゃんこ料理等の鍋料理及び焼き肉等の焼き料理を同時に行うことができる多用途鍋が記載されている。さらに、特許文献３には、玉子焼き器用等のフライパン内を仕切る仕切り部材を着脱自在とし、さらに、この仕切り部材をスライド移動可能として、調理範囲を区画変更することができるフライパンが記載されている。
【先行技術文献】
【特許文献】
【０００３】
【特許文献１】特許第４６４８１３０号公報
【特許文献２】特開平１１−１９７００６号公報
【特許文献３】特許第５８７８２０５号公報
【考案の概要】
【考案が解決しようとする課題】
【０００４】
しかしながら、上記特許文献１〜３に開示されたものは、いずれも、煮る・揚げる・茹でる等の汁調理と、炒める・焼く等の油調理とを並行して調理していくことを目的としたものではない。例えば、朝の慌ただしい時間帯に、朝食と弁当等を同時に調理することや複数種類のメニューを同時進行で調理することは、調理する者にとって大変な負担である。またおかず調理と並行して簡単なお菓子作りを行いたい場合もある。さらに一人暮らし世帯の増加により、少量のおかずを多種調理したいという要望やシニア世代になると食べられるだけの少量のおかず調理を望む声もある。そこで、１個の調理器で複数の調理を並行して行うことができれば、調理負担を軽減し片付けを楽にできるとともに食生活を豊かにできる。また通常は、１個の調理器として鍋やフライパンとして利用できるものでありながら、必要なときのみ、区画して利用できるものが望まれている。
【０００５】
本考案は、上記実情に鑑みなされたもので、１個の調理器において、汁調理及び油調理等を並行して調理できるように、調理器の調理空間にそれぞれの調理に適した区画域を簡易に構成することができる調理器用オプション部品を提供することを目的としている。
【課題を解決するための手段】
【０００６】
本考案に係る調理器用オプション部品は、加熱用の調理器に着脱自在に装着される調理器用オプション部品であって、前記調理器の調理空間を複数の区画域に区画する耐熱性の仕切体を有し、前記複数の区画域の少なくとも一区画域には、前記調理器の内底面に接するように配された底面部材が当該区画域を構成する仕切体とともに設けられていることを特徴とする。
【０００７】
本考案の調理器用オプション部品によれば、加熱用の調理器に適用することにより、当該調理器の調理空間が複数の区画域に区画される。そして、底面部材が仕切体とともに構成される区画域では、例えば、煮る・揚げる・茹でる等の汁物調理が可能とされ、その区画域以外の区画域では、例えば、炒める・焼く等の他の調理が可能とされる。したがって、当該調理器をコンロ上に置いて加熱すれば、１つの熱源で調理の仕方が異なる複数の調理を並行して行うことができる。また、調理後は、調理器から取り外せば、調理器及びオプション部品を個々に洗浄することができ、これらを清潔な状態に維持することができる。加えて、当該オプション部品は、既存の調理器に装着されるものであるから、店頭では調理器とは別個に販売可能で、需要者は当該オプション部品のみを購入して、家庭にある調理器に装着して前記調理を行うことができ経済的である。そして、１個の調理器をあるときには、鍋やフライパンとして通常利用できるものでありながら、必要なときのみオプション部品を装着すれば、１個の調理器を区画して使用できる。
【考案の効果】
【０００８】
本考案の調理器用オプション部品によれば、１個の調理器において、汁調理及び油調理等を並行して調理できるように、調理器の調理空間にそれぞれの調理に適した区画域を簡易に構成することができる。
【図面の簡単な説明】
【０００９】
【図１】（ａ）は本考案に係る調理器用オプション部品の第一の実施形態を示す概略的斜視図であり、（ｂ）はその使用状態の一例を示す概略的斜視図である。
【図２】（ａ）は図１におけるＡ−Ａ線矢示断面図であり、（ｂ）は図１におけるＢ−Ｂ線矢示断面図である。
【図３】図１におけるＣ−Ｃ線矢示断面図である。
【図４】（ａ）は本考案に係る調理器用オプション部品の第二の実施形態を示す概略的一部分解斜視図であり、（ｂ）はその使用状態の一例を示す概略的斜視図である。
【図５】（ａ）は図４におけるＤ部の部分破断拡大斜視図であり、（ｂ）は（ａ）におけるＥ―Ｅ線矢示断面図である。
【図６】本考案に係る調理器用オプション部品の第三の実施形態であり、その使用例の一例を示す概略的斜視図である。
【図７】本考案に係る調理器用オプション部品の第四の実施形態であり、その使用例の一例を示す概略的斜視図である。
【図８】（ａ）は第三の実施形態の変形例を模式的に示す平面図であり、（ｂ）は別の変形例を示す同様図である。
【図９】（ａ）は第四の実施形態の変形例を模式的に示す平面図であり、（ｂ）は別の変形例を示す同様図である。
【図１０】（ａ）は本考案に係る調理器用オプション部品の第五の実施形態を模式的に示す平面図であり、（ｂ）（ｃ）（ｄ）はその変形例を示す同様図である。
【図１１】（ａ）（ｂ）（ｃ）（ｄ）は、本考案に係る調理器用オプション部品の第五の実施形態のさらに別の変形例を示す同様図である。
【考案を実施するための形態】
【００１０】
以下に本考案の実施の形態について図面を参照して説明する。
＜第一の実施形態＞
図１〜図３は、本考案に係る調理器用オプション部品の第一の実施形態を示している。本実施形態の調理器用オプション部品２は、市販の円形フライパン（調理器）１に適用される例を示している。フライパン１は、フライパン本体１０と、側部に取付けられた持ち手部１１とからなり、通常、市販のフライパン１は、不図示の蓋が具備される。フライパン本体１０は、円形の底板部１０１とその周囲にＲをもって立ち上がるよう連設された周壁部１０２とからなり、鉄板製、アルミニウム製、ステンレス製の他に、最近ではアルミニウムやステンレスの内面にフッ素加工或いはセラミック加工を施したものが多く用いられている。
【００１１】
本実施形態の調理器用オプション部品２は舟形の形状とされ、フライパン１の内面１００（底板部１０１の内底面１０１ａ及び周壁部１０２の内壁面１０２ａ）に当接するようフライパン本体１０における周壁部１０２の上縁部１０２ｂに着脱自在に係止されてフライパン本体１０の調理空間を複数の区画域ａ・・・に区画する耐熱性の仕切体３を有する。本実施形態では、仕切体３は３片の仕切片３１，３２，３３からなり、２片の仕切片３１，３２は互いに平行で、その両端部はフライパン本体１０の対向する周壁部１０２間に及び、その下辺部がフライパン本体１０における底板部１０１の内底面１０１ａ及び周壁部１０２の内壁面１０２ａに当接する形状とされる。仕切片３３は、仕切片３１，３２間にあって両仕切片３１，３２を直交状態で連結するよう一体とされ、その下辺部が底板部１０１の内底面１０１ａに当接する形状とされている。本実施形態では、図１（ｂ）に示すように調理器用オプション部品２がフライパン本体１０に装着されたときには、仕切体３とフライパン１の内面１００とによって、４個の区画域ａ，ｂ，ｃ，ｄが構成される。そして、前記４個の区画域ａ，ｂ，ｃ，ｄのうちの区画域ａを構成する仕切片３１，３２，３３の下辺部には、フライパン本体１０の内底面１０１ａに面接触する耐熱性且つ伝熱性に優れた材料からなる底面部材４が一体に設けられ、当該底面部材４を有する区画域ａは煮る・揚げる・茹でる等の調理時に使用される汁調理用区画域とされる。区画域ｂは、汁調理用区画域ａに仕切片３３を介して隣接し、仕切片３１，３２，３３とフライパン１の周壁部１０２とに囲まれた部分によって構成される。また、区画域ｃは、仕切片３１と仕切片３１の外側に対向するフライパン本体１０の周壁部１０２とに囲まれた部分によって構成される。さらに、区画域ｄは、仕切片３２と仕切片３２の外側に対向するフライパン本体１０の周壁部１０２とに囲まれた部分によって構成される。区画域ｂ，ｃ，ｄでは、フライパン１における底板部１０１の内底面１０１ａが露出し、炒める・焼く等の調理時に使用される油調理用区画域とされる。３個の仕切片３１，３２，３３からなる仕切体３は、シリコーン等の耐熱性樹脂の一体成型によって得られる。また、底面部材４は、シリコーン等の耐熱性且つ伝熱性に優れた樹脂をシート状に加工した材料からなる。このように調理器用オプション部品２を構成する仕切体３や底面部材４をシリコーン等の耐熱性樹脂とすることで、カラー及びテイストバリエーションを豊富にすることができる。
【００１２】
さらに、本実施形態では、汁調理用区画域ａを構成する仕切体３における仕切片３１，３２の一端部は、フライパン本体１０における周壁部１０２の内壁面１０２ａに沿う形状とされ、底面部材４は、当該内壁面１０２ａに面接触するよう連続的に延設された起立部４ａを有している。また、仕切体３を構成する各仕切片３１，３２，３３のフライパン本体１の内面１００に当接する部位には、耐熱性のシート状シール体５が一体に取付けられている。シート状シール体５は、底面部材４と同材質で、底面部材４と一体に形成されている。実質的には、前記シリコーン等の耐熱性樹脂をシート状に加工した材料を、区画域ｂに相当する部位で刳り貫くように加工し、これを各仕切片３１，３２，３３の下辺部（フライパン本体１０の内面１００に当接する部位）に、耐熱性接着剤等によって接着一体とし、これにより、底面部材４及びシート状シール体５が構成される。したがって、底面部材４における各仕切片３１，３２，３３の下辺部に一体とされた部分は、シート状シール体５を兼ねることになる。
【００１３】
また、仕切体３を構成する各仕切片３１，３２における上辺部の端部（両端部）には、フライパン本体１０における周壁部１０２の上縁部１０２ｂをクランプするよう係止される係止部６が設けられている。なお、図１では、持ち手部１１側に設けられる係止部６の図示を省略している。係止部６は、図３にも示すように、仕切片３２（３１）の上辺両端部から斜め上方に延びるばね弾性を有するアーム部材６１と、その先端に固設された倒凹型のフック部材６２とからなる。このような係止部６は、アーム部６１を反らせるように弾性変形させながら、フライパン本体１０における周壁部１０２の上縁部１０２ｂをフック部材６２の下向き凹部６２ａに嵌め込むことによって、フライパン本体１の上縁部１０２ｂに係止される。
なお、係止部６は図例のものに限らず、他の方式のものであってもよく、また、仕切体３のみでもフライパン本体１０に安定的に固定される場合は、係止部６はなくてもよい。
【００１４】
前記のように構成される調理器用オプション部品２は、図１（ｂ）に示すように、フライパン１のフライパン本体１０に装着される。この装着に際しては、仕切体３を構成する仕切片３１，３２の上辺両端部に設けられた各係止部６が、前記のようにフック部材６２の下向き凹部６２ａをフライパン本体１０における周壁部１０２の上縁部１０２ｂに嵌め合せることによって、フライパン本体１０の上縁部１０２ｂに係止される。これによって、各仕切片３１，３２，３３の下辺部がシート状シール体５を介してフライパン本体１０の内面１００に当接するとともに、底面部材４及び起立部４ａがフライパン本体１０の内面１００に面接触した状態で、調理器用オプション部品２のフライパン本体１０に対する装着なされる。このような装着状態では、フライパン本体１０における調理空間は４個の区画域ａ，ｂ，ｃ，ｄに区画される。
【００１５】
このように調理器用オプション部品２が装着されたフライパン１は、コンロ（不図示）上に置かれて各種加熱調理に供される。汁調理用区画域ａでは煮る・揚げる・茹でる等の調理が可能で、他の区画域ｂ,ｃ，ｄとは完全に仕切られているので、例えば区画域ａに水を貯留し沸騰させて野菜をゆでたり、味噌汁等の汁物を調理することができる。また区画域ａに油を貯留し加熱して揚げ物を調理してもよい。さらには、区画域ａで肉・魚を焼き、調味液を投入して味付けしてもよい。このような汁調理を行っても、他の区画域ｂ,ｃ，ｄとは分離されているので、区画域ｂ,ｃ，ｄに汁物の影響を与えることがない。またその他の区画域ｂでは区画域ａの調理と並行して、例えばだし巻き（卵料理）を作ることができ、さらに区画域ｃ，ｄでは並行して炒め物料理や焼き肉料理等を行ってもよい。このような調理が、１つの調理器で１つの熱源で並行して行うことができるので、狭い台所でも、また慌ただしい時間帯でも、複数種の調理が効率的に行うことができる。しかも、汁調理用区画域ａを構成する底面部材４として、耐熱性且つ伝熱性に優れた材料を用いれば、フライパン本体１０の内面１００に面接触した状態でも汁調理用食材に的確に伝熱されて汁物の調理が支障なくなされるとともに、底面部材４の加熱使用による劣化を抑えることができる。また、各仕切片３１，３２，３３の下辺部がシート状シール体５を介してフライパン本体１０の内面１００に当接するから、上述したように仕切体３により区画される区画域ａ，ｂ，ｃ，ｄ間で食材や調味料（食用油、煮汁等）が互いに浸入することが防止され、それぞれの料理への味移りのない所望の味付けがなされた調理を行うことができる。さらに、調理後は、係止部６のフライパン本体１０における周壁部１０２に対する係止を解除すれば、当該オプション部品２をフライパン１から簡易に取外すことができるから、フライパン１及びオプション部品２を個々に洗浄することができ、これらを清潔な状態に維持することができる。加えて、当該オプション部品２は、例示のフライパン等の既存の調理器に装着されるものであるから、店頭には調理器とは別個に置かれ、需要者は当該オプション部品２のみを購入して、家庭にある調理器に装着して前記調理を行うことができ経済的である。そして、この１個のフライパンをあるときには、通常利用できるものでありながら、必要なときのみ、このオプション部品２を装着すれば、簡単にひとつのフライパンが区画され、複数同時調理可能なフランパンとして使用できる。
【００１６】
＜第二の実施形態＞
図４及び図５は、本考案に係る調理器用オプション部品の第二の実施形態を示している。本実施形態の調理器用オプション部品２も、市販の円形フライパン（調理器）１に適用される。本実施形態の調理器用オプション部品２では、３片の仕切片３１，３２，３３からなる仕切体３によって、図４（ｂ）に示すようにフライパン本体１０の調理空間が３個の区画域ａ，ｂ，ｃに区画される。３片の仕切片３１，３２，３３のうち仕切片３１，３２は、柱状支持体３０に所定の角度をなすよう固定されて扇型の区画域ａを構成し、仕切片３３は柱状支持体３０の２箇所に選択的に取付けられて、仕切片３１及び３２とともに同じく扇型の区画域ｂ，ｃを構成する。即ち、３片の仕切片３１，３２，３３は、柱状支持体３０を中心として放射状に延びるように形成される。３片の仕切片３１，３２，３３の先端部には、前記実施形態と同様に、フライパン本体１０における周壁部１０２の上縁部１０２ｂに着脱自在に係止される係止部６・・・が設けられている。
【００１７】
仕切片３１及び３２と仕切片３３とは、柱状支持体３０を介して互いに分離可能なパーツとされ、本実施形態における仕切体３は、実質的に仕切片３１及び３２と仕切片３３との２つのパーツからなる。３片の仕切片３１，３２，３３は、各先端部がフライパン本体１０の周壁部１０２に及び、各下辺部がフライパン本体１０における底板部１０１の内底面１０１ａ及び周壁部１０２の内壁面１０２ａに当接する形状とされている。前記３個の区画域ａ，ｂ，ｃのうちの区画域ａを構成する仕切片３１，３２の下辺部には、前記実施形態と同様にフライパン本体１０の内底面１０１ａに面接触する耐熱性且つ伝熱性に優れた材料からなる底面部材４が一体に設けられ、当該底面部材４を有する区画域ａは汁調理用区画域とされる。底面部材４は、前記実施形態と同様に、フライパン本体１０の内壁面１０２ａに面接触するよう連続的に延設された起立部４ａを有している。また、底面部材４における仕切片３１，３２の下辺部に一体とされる部分は、前記と同様にシート状シール体５を兼ねるように構成されている。さらに、柱状支持体３０の下面には、底面部材４の一部が一体とされ、この部分が柱状支持体３０の下面とフライパン本体１０の内底面１０１ａとの間に介在するシート状シール体５を兼ねている。そして、仕切片３３の下辺部には、底面部材４と同材質のシート状シール体５が底面部材４とは独立に、一体に取付けられている。
【００１８】
パーツとしての仕切片３３と、他のパーツとしての仕切片３１及び仕切片３２に対して、柱状支持体３０を介し分離可能且つ角度可変に相互に連結可能とされる構造を図５をも参照して説明する。柱状支持体３０の側部には前記のように仕切片３１及び仕切片３２が所定の角度（図例では略１２０°）をなすように固定されおり、柱状支持体３０における他側部の上辺角部には、２箇所に、仕切片３３の他端部（係止部６との反対側の端部）を嵌め合せる切欠部３０ａ，３０ｂが、柱状支持体３０の軸方向に沿い且つ周方向に間隔を空けて設けられている。仕切片３３の他端部には下向きの鉤型フック部３３ａが設けられ、この鉤型フック部３３ａは、切欠部３０ａ，３０ｂのいずれかに、上から選択的に着脱可能に嵌め合わされるようになされている。また、柱状支持体３０の上面中央部には、凹部３０ｃが形成され、柱状支持体３０とは別に作成されるキャップ３００の下面中央に形成された突部３００ａを嵌挿し得るようになされている。
【００１９】
前記のように３片の仕切片３１，３２，３３及び柱状支持体３０からなる仕切体３は、柱状支持体３０における切欠部３０ａ，３０ｂのいずれかに、仕切片３３の鉤型フック部３３ａを嵌め合せて、仕切片３３を柱状支持体３０を介して仕切片３１，３２に連結することによって構成される。そして、柱状支持体３０の凹部３０ｃに突部３００ａを嵌挿することにより、キャップ３００を柱状支持体３０の上面を覆うように取付ける。キャップ３００の取付態様は、凹部３０ｃ及び突部３００ａの嵌挿関係に代えて相互の螺合関係とすることも可能で、また、キャップ３００の着脱をし易くするため、キャップ３００の上面に突状摘み部や引っ掛けリング等を設けることも可能である。図例では、切欠部３０ａを用いて仕切片３３を連結した場合、３片の仕切片３１，３２，３３が互いに１２０°の角度をなし、また、切欠部３０ｂを用いて仕切片３３を連結した場合、仕切片３１と仕切片３３とが直状になるように構成されている。しかし、これら相互の角度は、図例に限らず他の角度をなすようにすることも可能であるので、区画域ａ，ｂ，ｃの面積を変えることができる。また、切欠部の数を変えて、区画域の数を変更することも可能である。
【００２０】
前記のように構成される本実施形態の調理器用オプション部品２は、図４（ｂ）に示すように、フライパン１のフライパン本体１０に装着される。この装着に際しては、仕切体３を構成する仕切片３１，３２，３３の上辺一端部に設けられた各係止部６が、前記のようにフック部材６２の下向き凹部６２ａをフライパン本体１０における周壁部１０２の上縁部１０２ｂに嵌め合せることによって、フライパン本体１の上縁部１０２ｂに係止される。これによって、各仕切片３１，３２，３３の下辺部がシート状シール体５を介してフライパン本体１０の内面１００に当接するとともに、底面部材４及び起立部４ａがフライパン本体１０の内面１００に面接触した状態で、調理器用オプション部品２のフライパン本体１０に対する装着なされる。このような装着状態では、フライパン本体１０における調理空間は３個の区画域ａ，ｂ，ｃに区画される。
【００２１】
このように調理器用オプション部品２が装着されたフライパン１は、前記と同様にコンロ上に置かれて各種加熱調理に供される。例えば、汁調理用区画域ａでは汁調理が、区画域ｂ，ｃでは炒め物料理や焼き肉料理等の油調理が、１つの熱源で並行してなされ、第一の実施形態でも述べたように複数の調理が効率的になされる。この場合、調理内容によって、区画域ｂ，ｃの大きさを変えたい場合、キャップ３００を取り外し、仕切片３３の鉤型フック部３３ａを、選択されている切欠部３０ａ（３０ｂ）の他方に嵌め合せて、これにフレキシブルに対応することができる。また、仕切片３３と同等の分割パーツをもう１個準備し、切欠部３０ａ（３０ｂ）の空いている方の切欠部３０ｂ（３０ａ）を用いて、当該分割パーツを連結すれば、区画域を１個増やせることができる。
その他の構成は、前記実施形態と同様であるから、共通部分に同一の符号を付し、その構成及び作用・効果の説明は割愛する。
【００２２】
＜第三の実施形態＞
図６は、本考案に係る調理器用オプション部品の第三の実施形態であって、その使用例とともに示している。本実施形態の調理器用オプション部品２も、市販の円形フライパン（調理器）１に適用される。本実施形態の調理器用オプション部品２は、３片の仕切片３１，３２，３３からなる仕切体３によって、フライパン本体１０の調理空間が４個の区画域ａ，ｂ，ｃ，ｄに区画されるよう構成される。仕切片３１は、両端部に、フライパン本体１０の上縁部１０２ｂに係止し得る係止部６，６を有しており、フライパン本体１０の周壁部１０２とによって略半月状の区画域ａを構成するような形状とされている。また、仕切片３２，３３は互いに平行で仕切片３１の途中に９０°をなすように連結され、連結部から区画域ａとは反対の方向に延びるような形状とされている。仕切片３２，３３の連結部から反対側の端部には、フライパン本体１０の上縁部１０２ｂに係止し得る係止部６，６が設けられている。仕切片３１，３２とフライパン本体１０の周壁部１０２とによって区画域ｂが、仕切片３１，３２，３３とフライパン本体１０の周壁部１０２とによって区画域ｃが、仕切片３１，３３とフライパン本体１０の周壁部１０２とによって区画域ｄが、それぞれ構成される。
【００２３】
区画域ａを構成する仕切片３１の下辺部には前記と同様の底面部材４が一体に設けられ、さらにこの底面部材４は、前記例と同様にフライパン本体１０における周壁部１０２の内壁面１０２ａに面接触するよう連続的に延設された起立部４ａを有しており、本実施形態でも、区画域ａが汁調理用区画域とされる。また、仕切片３２，３３の下辺部には、シート状シール体５が取付けられ、このシート状シール体５も底面部材４と同材質で、底面部材４と一体に形成され、汁調理用区画域ａでは、前記例と同様に底面部材４がシート状シール体５を兼ねている。
【００２４】
前記のように構成される本実施形態の調理器用オプション部品２は、図６に示すように、フライパン１のフライパン本体１０に装着される。この装着に際しては、仕切体３を構成する仕切片３１，３２，３３の上辺の各端部に設けられた各係止部６が、前記のようにフック部材６２の下向き凹部６２ａをフライパン本体１０における周壁部１０２の上縁部１０２ｂに嵌め合せることによって、フライパン本体１の上縁部１０２ｂに係止される。これによって、各仕切片３１，３２，３３の下辺部がシート状シール体５を介してフライパン本体１０の内面１００に当接するとともに、底面部材４及び起立部４ａがフライパン本体１０の内面１００に面接触した状態で、調理器用オプション部品２のフライパン本体１０に対する装着なされる。このような装着状態では、フライパン本体１０における調理空間は４個の区画域ａ，ｂ，ｃ，ｄに区画される。
【００２５】
このように調理器用オプション部品２が装着されたフライパン１は、前記と同様にコンロ上に置かれて各種加熱調理に供され、第一の実施形態で述べたように、例えば、汁調理用区画域ａでは汁調理が、区画域ｂ，ｄでは炒め物料理や焼き肉料理等が、区画域ｃでは玉子焼き料理が、１つの熱源で並行してなされ、複数の調理が効率的になされる。この場合、汁調理用区画域ａは前記例より大きく確保されるから、多めの汁物料理も行うことができる。
その他の構成は、前記実施形態と同様であるから、ここでも共通部分に同一の符号を付し、その構成及び作用・効果の説明は割愛する。
【００２６】
＜第四の実施形態＞
図７は、本考案に係る調理器用オプション部品の第四の実施形態であって、その使用例とともに示している。本実施形態の調理器用オプション部品２も、市販の円形フライパン（調理器）１に適用される。本実施形態は、第一の実施形態の変形例ということもできる。即ち、本実施形態の調理器用オプション部品２では、第一の実施形態の仕切片３３を仕切片３１の外側ほぼ中央に直角になるよう配置し、さらに、仕切片３２の外側ほぼ中央に新たに仕切片３４を直角になるよう配置し、これら４片の仕切片３１，３２，３３，３４を一体に成型して仕切体３を構成している。
【００２７】
本実施形態の調理器用オプション部品２は、４片の仕切片３１，３２，３３，３４からなる仕切体３によって、フライパン本体１０の調理空間が４個の区画域ａ，ｂ，ｃ，ｄ，ｅに区画されるよう構成される。このように構成される本実施形態の調理器用オプション部品２は、図７に示すように、フライパン１のフライパン本体１０に装着される。この装着に際しては、仕切体３を構成する仕切片３１，３２，３３，３４の上辺部の各周壁部１０２側端部に設けられた各係止部６が、前記のようにフック部材６２の下向き凹部６２ａをフライパン本体１０における周壁部１０２の上縁部１０２ｂに嵌め合せることによって、フライパン本体１の上縁部１０２ｂに係止される。なお、図７では、仕切片３１，３２の手持ち部１１側端部に設けられる係止部６の図示を省略している。これら係止部６の係止によって、各仕切片３１，３２，３３，３４の下辺部がシート状シール体５を介してフライパン本体１０の内面１００に当接する。この装着状態では仕切片３１，３２とフライパン本体１０の対向する周壁部１０２とにより、方形の区画域ａが構成される。また、仕切片３１，３３とフライパン本体１０の周壁部１０２とにより、２個の扇型区画域ｂ，ｃが構成される。さらに、仕切片３２，３４とフライパン本体１０の周壁部１０２とにより、２個の扇型区画域ｄ，ｅが構成される。
【００２８】
区画域ａを構成する仕切片３１，３２には前記と同様の底面部材４が一体に設けられ、さらにこの底面部材４は、フライパン本体１０における対向する周壁部１０２の内壁面１０２ａに面接触するよう連続的に延設された起立部４ａを有しており、本実施形態でも、区画域ａが汁調理用区画域とされる。また、仕切片３３，３４の下辺部には、シート状シール体５が取付けられ、このシート状シール体５も、底面部材４と同材質で、底面部材４と一体に形成され、汁調理用区画域ａでは、前記例と同様に底面部材４がシート状シール体５を兼ねている。
【００２９】
このように調理器用オプション部品２が装着されたフライパン１は、前記と同様にコンロ上に置かれて各種加熱調理に供され、第一の実施形態で述べたように、例えば、汁調理用区画域ａでは汁物料理が、区画域ｂ，ｃ，ｄ，ｅでは炒め物料理や焼き肉料理等が、１つの熱源で並行してなされ、複数の調理が効率的になされる。この場合、汁調理用区画域ａは前記例より大きく確保されるから、多めの汁物料理も行うことができる。また、区画域ｂ，ｃ，ｄ，ｅは小さく区画されるから、少量ずつの異なる種類の調理を数多く並行して行うことができる。
その他の構成は、前記実施形態と同様であるから、ここでも共通部分に同一の符号を付し、その構成及び作用・効果の説明は割愛する。
【００３０】
＜種々変形例について＞
図８（ａ）（ｂ）は，前記第三の実施形態の変形例を示す模式図である。（ａ）に示す例では、３片の仕切片３１，３２，３３による仕切体３の態様は図６に示す例と同様であるが、仕切片３１とフライパン本体１０の底板部１０１とにより構成される区画域ｃが汁調理用区画域とされ、その他の区画域ａ，ｂ，ｄは汁物以外の調理用区画域とされている。したがって、区画域ｃでは、前記同様の底面部材４が、仕切片３１，３２，３３の下辺部に一体に設けられている。
また、（ｂ）に示す例では、（ａ）に示す例における仕切片３３をなしとし、仕切体３により３個の区画域ａ，ｂ，ｃが構成されている。この例における区画域ｃは、（ａ）に示す例の区画域ｃ，ｄが合併したものに相当し、当該区画域ｃが汁調理用区画域とされる。したがって、区画域ｃでは、仕切片３１，３２の下辺部に前記同様の底面部材４が、一体に設けられている。
その他の構成は図６に示す例と同様であるから、その構成の図示及び作用・効果等の説明は割愛する。
【００３１】
図９（ａ）（ｂ）は，前記第四の実施形態の変形例を示す模式図である。（ａ）に示す例では、図７に示す例における仕切片３４をなしとし、仕切片３１，３２，３３によって仕切体３を構成している。したがって、仕切体３により、４個の区画域ａ，ｂ，ｃ，ｄが構成され、本例における区画域ｄは、図７に示す例の区画域ｄ，ｅが合併したものに相当する。そして、区画域ａは、図７に示す例と同様に汁調理用区画域とされ、底面部材４を同様に有している。
また、（ｂ）に示す例では、（ａ）に示す例における仕切片３３をなしとし、仕切体３により３個の区画域ａ，ｂ，ｄが構成されている。この例における区画域ｂは、（ａ）に示す例の区画域ｂ，ｃが合併したものに相当する。
その他の構成は図７に示す例と同様であるから、その構成の図示及び作用・効果等の説明は割愛する。
【００３２】
＜第五の実施形態＞
図１０（ａ）〜（ｄ）及び図１１（ａ）〜（ｄ）は、本考案に係る調理器用オプション部品の第五の実施形態とその変形例を示す模式図である。この第五の実施形態は、複数の区画域ａ・・・が、環状の仕切体３による区画域ａを含み、当該区画域ａを区画する環状の仕切体３に底面部材４が一体に設けられていることで特徴づけられる。即ち、汁物区画域である区画域ａは、フライパン本体１０の周壁部１０２が関与せず、仕切体３のみによって構成される。
【００３３】
図１０（ａ）〜（ｄ）に示す例では、仕切体３が方形（図例では正方形）の仕切片３Ａを含むことで共通する。（ａ）の例では、仕切体３が、方形の仕切片３Ａと、当該仕切片３Ａの各４辺の中央部からフライパン本体１０の周壁部１０２に至るよう直角に延びる４片の仕切片３Ａａ，３Ａｂ，３Ａｃ，３Ａｄとからなる。そして、汁調理用区画域ａを構成する仕切片３Ａの周囲には、フライパン本体１０の周壁部１０２との間に、仕切片３Ａａ，３Ａｂ，３Ａｃ，３Ａｄによって区画された４個の区画域ｂ，ｃ，ｄ，ｅが構成される。
【００３４】
前記のように構成される本実施形態の調理器用オプション部品２が装着されたフライパン１においては、前記と同様にコンロ上に置かれて各種加熱調理に供される。例えば、汁調理用区画域ａでは汁物料理が、区画域ｂ，ｃ，ｄ，ｅでは炒め物料理や焼き肉料理等が、１つの熱源で並行してなされ、複数の調理が効率的になされる。この場合、汁調理用区画域ａが環状の仕切片３Ａによって取り囲まれ、汁調理用食材がフライパン本体１０の周壁部１０２に接触しないから、周壁部１０２からの放熱が汁調理用区画域ａに影響せず汁調理用食材に対する伝熱が効率的になされる。
【００３５】
図１０（ｂ）〜（ｄ）の例は、図１０（ａ）の例における仕切片３Ａｄ、仕切片３Ａｂ及び仕切片３Ａｄ、仕切片３Ａａ及び仕切片３Ａｄを、それぞれなしとしたものである。したがって、汁調理用区画域ａ以外の区画域の態様は、図示のように変更される。（ａ）の例も含めて（ｂ）〜（ｄ）の例は需要者のニーズに応じて適宜選択採用される。
その他の構成は、前記実施形態と同様であるから、ここでもその構成の図示及び作用・効果等の説明は割愛する。
【００３６】
図１１（ａ）〜（ｄ）に示す例は、図１０（ａ）〜（ｄ）に示す例の環状の仕切片３Ａを円形としたものであり、その他の構成は図１０（ａ）〜（ｄ）の例と同様である。この例の場合、環状の仕切片３Ａが円形であることから、図１０（ａ）〜（ｄ）に示す例に比べて、フライパン本体１０上の各区画域のデッドスペースが小さく、また、玉杓子、スプーン、フォーク、菜箸等の調理器具の扱いに支障を来すことも少なくなる。
その他の構成は、前記実施形態と同様であるから、ここでもその構成の図示及び作用・効果等の説明は割愛する。
【００３７】
なお、前記実施形態では、調理器としてフライパンを例に採ったが、これに限らず、その他の調理鍋、すき焼き鍋、しゃぶしゃぶ鍋等にも本考案の調理器用オプション部品が適用可能である。よって例えば、すき焼きをしている隣の区画域で、串揚げを調理する、もしくはしゃぶしゃぶをしている隣の区画域で、餃子を焼くといった調理が可能となる。また、仕切体による区画態様も例示したものに限らず、他の区画態様も採用可能であり、その仕切体の高さ寸法等は適宜設計される。よって、汁調理用区画域を区画する仕切体の高さ寸法を他の仕切体より高くしてもよいし、区画行きの面積が可変できるように第一の実施形態、第三の実施形態〜第四の実施形態において仕切体がスライド移動する構成としてもよい。さらに、汁調理用区画域の配置態様も例示のものに限らず、他の配置態様も採用可能である。そして、上記の説明では、説明のため、汁調理用区画域、油調理用区画域等と説明しているが、使用の仕方は利用者に委ねられるものであって、汁調理用区画域で油炒めの調理をすることを除外するものではないし、調理メニューはおかずに限定されず、副菜であってもよいしおやつ等のデザート調理を除外するものでもない。
【符号の説明】
【００３８】
１                      フライパン（調理器）
２                      調理器用オプション部品
３                      仕切体
１００                  調理器の内面
１０１ａ                内底面
１０２                  周壁部
１０２ａ                内壁面
１０２ｂ                上縁部
３                      仕切体
３Ａ                    環状の仕切体
４                      底面部材
４ａ                    起立部
５                      シート状シール体
６                      係止部
ａ                      汁調理用区画域（区画域）
ｂ・・・                油調理用区画域（区画域）
【図１】
0003220129.tif 000003
【図２】
0003220129.tif 000004
【図３】
0003220129.tif 000005
【図４】
0003220129.tif 000006
【図５】
0003220129.tif 000007
【図６】
0003220129.tif 000008
【図７】
0003220129.tif 000009
【図８】
0003220129.tif 000010
【図９】
0003220129.tif 000011
【図１０】
0003220129.tif 000012
【図１１】
0003220129.tif 000013